(57)【要約】  エレベータのかご室天井照明装置は、かご室の天井に設けられた照明器具、天井に設けられた天井固定部材、天井固定部材に設けられた目地枠体、及び目地枠体に保持され、照明器具の照明光をかご室内に透過させる照明板を備えている。目地枠体は、天井固定部材に脱着可能な連結部を含む脱着目地枠と、天井固定部材に設けられた固定目地枠とを有している。照明板は、脱着目地枠及び固定目地枠によって保持されている。
2019198145.tif 000002
【特許請求の範囲】
【請求項１】
かご室の天井に設けられた照明器具、
前記天井に設けられた天井固定部材、
前記天井固定部材に設けられた目地枠体、及び
前記目地枠体に保持され、前記照明器具の照明光を前記かご室内に透過させる照明板を備え、
前記目地枠体は、前記天井固定部材に脱着可能な連結部を含む脱着目地枠と、前記天井固定部材に設けられた固定目地枠とを有し、
前記照明板は、前記脱着目地枠及び前記固定目地枠によって保持されているエレベータのかご室天井照明装置。
【請求項２】
前記固定目地枠は、水平方向に対向して互いに平行に配置された一対の第１固定目地部を有し、
前記一対の第１固定目地部の間には、前記一対の第１固定目地部に沿った方向において互いに離れた２つの第１領域と、前記２つの第１領域の間に位置する第２領域とが存在しており、
前記２つの第１領域のそれぞれには、第１照明板が配置され、
前記第２領域には、少なくとも１つの第２照明板が配置され、
各前記第１照明板及び前記第２照明板は、複数の前記照明板として前記一対の第１固定目地部に沿って並んでおり、
前記複数の照明板のそれぞれの間には、前記脱着目地枠がそれぞれ配置され、
一方の前記第１照明板は、一方の前記第１領域と前記第２領域との間に配置された前記脱着目地枠と、前記一対の第１固定目地部とによって支持され、
他方の前記第１照明板は、他方の前記第１領域と前記第２領域との間に配置された前記脱着目地枠と、前記一対の第１固定目地部とによって支持され、
前記第２照明板は、前記第２照明板の両側に配置された前記脱着目地枠と、前記一対の第１固定目地部とによって支持されている請求項１に記載のエレベータのかご室天井照明装置。
【請求項３】
前記一対の第１固定目地部のそれぞれには、前記第１領域を介して対向する一対の第１溝が前記２つの第１領域のそれぞれの位置に対応して設けられ、
前記第１照明板が前記第１領域に配置されている状態では、前記第１照明板の一部が前記一対の第１溝にそれぞれ挿入されており、
前記第１照明板は、前記第１領域と前記第２領域との間で前記一対の第１溝に沿ってスライド可能である請求項２に記載のエレベータのかご室天井照明装置。
【請求項４】
前記第２照明板は、前記脱着目地枠と一体である請求項２又は請求項３に記載のエレベータのかご室天井照明装置。
【請求項５】
前記第２照明板は、前記脱着目地枠に対してスライド可能である請求項４に記載のエレベータのかご室天井照明装置。
【請求項６】
前記第２照明板には、レール部材が設けられ、
前記脱着目地枠は、前記第２照明板を保持する目地本体と、前記目地本体に設けられた前記連結部と、前記目地本体に設けられ、前記レール部材に掛かっている照明板支持部とを有し、
前記第２照明板は、前記照明板支持部が前記レール部材に案内されることによって前記脱着目地枠に対してスライドする請求項５に記載のエレベータのかご室天井照明装置。
【請求項７】
前記天井固定部材は、目地枠取付部を有し、
前記連結部は、前記目地枠取付部に連結されている請求項１から請求項６のいずれか一項に記載のエレベータのかご室天井照明装置。
【請求項８】
前記連結部は、一対の挟み部を含み、
前記脱着目地枠は、前記一対の挟み部の間に前記目地枠取付部が挟み込まれた状態で前記目地枠取付部に取り付けられている請求項７に記載のエレベータのかご室天井照明装置。
【請求項９】
前記一対の挟み部は、弾性変形可能になっており、
前記目地枠取付部は、前記一対の挟み部の弾性復元力によって前記一対の挟み部の間に挟み込まれている請求項８に記載のエレベータのかご室天井照明装置。
【請求項１０】
前記連結部は、前記一対の挟み部と前記一対の挟み部のそれぞれに設けられた一対の操作部とを含む一対の結合部材と、前記一対の挟み部が互いに近づく方向へ前記一対の結合部材に付勢力を加える付勢部材とを有し、
前記目地枠取付部は、前記付勢部材の付勢力によって前記一対の挟み部の間に挟み込まれている請求項８に記載のエレベータのかご室天井照明装置。
【請求項１１】
前記天井固定部材は、前記照明器具を囲むカバーと、前記カバーの内側で前記天井から下方に延びるハンガとを有し、
前記ハンガは、前記目地枠取付部を有し、
前記カバーには、前記固定目地枠が設けられ、
前記目地枠取付部には、前記連結部が脱着可能になっている請求項７から請求項１０のいずれか一項に記載のエレベータのかご室天井照明装置。
【請求項１２】
接続部材を備え、
前記固定目地枠は、前記接続部材に固定され、
前記カバーの下端部には、前記カバーから前記カバーの内側へ突出する突出部が設けられ、
前記接続部材は、前記突出部を挟む第１挟み部及び第２挟み部を有し、
前記接続部材は、前記第１挟み部と前記第２挟み部との間に前記突出部が挟み込まれた状態で前記カバーに取り付けられている請求項１１に記載のエレベータのかご室天井照明装置。
【発明の詳細な説明】
【技術分野】
【０００１】
この発明は、かご室の天井に設けられたエレベータのかご室天井照明装置に関するものである。
【背景技術】
【０００２】
従来、かご室の天井に取り付けた矩形状の照明枠に照明板の端部を載せることによって照明板を天井の下方に保持するようにしたエレベータのかご室天井照明装置が知られている。このような従来のエレベータのかご室天井照明装置では、照明板の端部が照明枠に載せられる構造上、照明板の面積が照明枠の開口面積よりも大きくなっている（例えば、特許文献１参照）。
【先行技術文献】
【特許文献】
【０００３】
【特許文献１】実開昭５８−７１０７３号公報
【発明の概要】
【発明が解決しようとする課題】
【０００４】
特許文献１に記載されている従来のエレベータのかご室天井照明装置では、照明板を照明枠から外すとき、及び照明板を照明枠に載せるときに、照明枠の開口部分に照明板を通す必要がある。しかし、照明板の面積が照明枠の開口面積よりも大きいので、照明枠の開口部分に照明板を通す作業に手間がかかってしまう。【０００５】
この発明は、上記のような問題を解決するためにされたものである。具体的には、目地枠体に対する照明板の脱着作業を容易にすることができるエレベータのかご室天井照明装置を提供することを目的としている。
【課題を解決するための手段】
【０００６】
この発明に係るエレベータのかご室天井照明装置は、かご室の天井に設けられた照明器具、天井に設けられた天井固定部材、天井固定部材に設けられた目地枠体、及び目地枠体に保持され、照明器具の照明光をかご室内に透過させる照明板を備え、目地枠体は、天井固定部材に脱着可能な連結部を含む脱着目地枠と、天井固定部材に設けられた固定目地枠とを有し、照明板は、脱着目地枠及び固定目地枠によって保持されているものである。
【発明の効果】
【０００７】
この発明に係るエレベータのかご室天井照明装置によれば、脱着目地枠を天井固定部材から取り外すことにより、目地枠体の開口面積を大きくすることができる。そのため、目地枠体に対する照明板の脱着作業を容易にすることができる。
【図面の簡単な説明】
【０００８】
【図１】この発明の実施の形態１によるエレベータのかご室天井照明装置が設けられたかご室を示す断面図である。
【図２】図１のかご室天井照明装置の幅方向における一方の端部において、照明板が外された状態を示す斜視図である。
【図３】図１のかご室天井照明装置の幅方向における他方の端部において、照明板が外された状態を示す斜視図である。
【図４】図２のＩＩ−ＩＩ線に沿った断面図である。
【図５】図２のＩＩＩ−ＩＩＩ線に沿った断面図である。
【図６】図２のＩＶ−ＩＶ線に沿った断面図である。
【図７】図１のＩ−Ｉ線に沿った断面図である。
【図８】図７のＢ部を示す拡大図である。
【図９】図７のＣ部を示す拡大図である。
【図１０】図１のＡ部を示す拡大図である。
【図１１】図１０の連結部を示した斜視図である。
【図１２】図１の脱着目地枠が目地枠取付部に連結されるときの状態を示した断面図である。
【図１３】図１の脱着目地枠が目地枠取付部に連結されるときの状態を示した斜視図である。
【図１４】この発明の実施の形態２によるエレベータのかご室天井照明装置の脱着目地枠が第２照明板と一体になっている状態を示す斜視図である。
【図１５】図１４のＤ部を示す拡大図である。
【図１６】図１４のＶ−Ｖ線に沿った断面図である。
【図１７】この発明の実施の形態３によるエレベータのかご室天井照明装置のカバーに設けられた接続部材を示す断面図である。
【図１８】この発明の実施の形態４によるエレベータのかご室天井照明装置の脱着目地枠を示す断面図である。
【発明を実施するための形態】
【０００９】
実施の形態１.
以下、この発明の実施の形態１について説明する。
【００１０】
図１は、この発明の実施の形態１によるエレベータのかご室天井照明装置が設けられたかご室１を示す断面図である。この明細書において、エレベータの乗場からみてかご室の左右方向を幅方向と記載し、乗場からみてかご室の前後方向を奥行き方向と記載する。
エレベータのかご室１の天井２には、かご室１内を照明するかご室天井照明装置が設けられている。かご室天井照明装置は、天井２に設けられた複数の照明器具３、複数の照明器具３を避けて天井２に設けられた天井固定部材５、天井固定部材５に設けられた目地枠体６、及び目地枠体６に保持された複数の照明板４を備えている。
【００１１】
複数の照明器具３は、かご室１内を照明する照明光を発生する。また、複数の照明器具３は、水平方向へ互いに離して配置されている。この例では、複数の照明器具３がかご室１の幅方向へ互いに離して配置されている。
【００１２】
天井固定部材５は、複数の照明器具３をまとめて囲むカバー７と、カバー７の内側に配置された複数のハンガ８とを有している。
【００１３】
各照明板４は、複数の照明器具３の位置よりも下方の位置に目地枠体６によって保持されている。また、各照明板４は、透明又は半透明の材料で形成されている。照明板４の材料は、例えば合成樹脂、ガラスである。各照明板４は、照明器具３の照明光をかご室１内に透過させる。
【００１４】
図２は、図１のかご室天井照明装置の幅方向における一方の端部において、照明板４が外された状態を示す斜視図である。また、図３は、図１のかご室天井照明装置の幅方向における他方の端部において、照明板４が外された状態を示す斜視図である。
カバー７は、天井２に設けられている。また、カバー７は、水平方向について対向するカバー前板部７ａ及びカバー後板部７ｂと、カバー前板部７ａ及びカバー後板部７ｂを互いに連結する一対のカバー側板部７ｃとを有している。一対のカバー側板部７ｃは、カバー前板部７ａ及びカバー後板部７ｂに沿った方向について互いに離して配置されている。複数の照明器具３は、カバー前板部７ａとカバー後板部７ｂとの間に配置され、かつ一対のカバー側板部７ｃの間に配置されている。上から見たときのカバー７の形状は、カバー前板部７ａ、カバー後板部７ｂ及び一対のカバー側板部７ｃによって四角形状になっている。カバー７は、鋼板又は合成樹脂で形成されている。
【００１５】
カバー前板部７ａ及びカバー後板部７ｂは、かご室１の幅方向に沿って平行に配置されている。各カバー側板部７ｃは、かご室１の奥行方向に沿って配置されている。また、各カバー側板部７ｃは、カバー７の下端部から上端部に向かってカバー７の内側に近づく方向へ水平面に対して傾斜している。これにより、一対のカバー側板部７ｃの間の距離は、カバー７の下端部から上端部に向かって連続的に狭くなっている。
【００１６】
複数のハンガ８は、天井２に設けられている。この例では、図１に示すように、複数の照明器具３の間のスペースにハンガ８が配置されている。各ハンガ８は、動かないように天井２に固定されている。また、各ハンガ８は、天井２から下方へ延びる固定部８ａと、固定部８ａの下端部に固定されている目地枠取付部８ｂと、を有する。固定部８ａは、棒状部材又は板状部材である。目地枠取付部８ｂは、各照明器具３の位置よりも低い位置に配置されている。この例では、かご室１の奥行方向に沿って水平に配置された断面円形の中実の棒状部が目地枠取付部８ｂとして用いられている。なお、断面円形の中空の棒状部、即ちパイプを目地枠取付部８ｂとして用いてもよい。ハンガ８は、金属又は合成樹脂で形成されている。
【００１７】
目地枠体６は、照明器具３の位置よりも低い位置に配置されている。また、目地枠体６は、カバー７に設けられた固定目地枠６１と、複数のハンガ８のそれぞれに脱着可能に連結された複数の脱着目地枠６３とを有している。目地枠体６は、金属又は合成樹脂で形成されている。各照明板４は、固定目地枠６１及び脱着目地枠６３によってそれぞれ保持されている。
【００１８】
固定目地枠６１は、カバー７の下部にカバー７の全周にわたって設けられている。また、固定目地枠６１は、図２及び図３に示すように、カバー前板部７ａ及びカバー後板部７ｂのそれぞれに固定された一対の第１固定目地部６１ａと、一対のカバー側板部７ｃのそれぞれに固定された一対の第２固定目地部６１ｂとを有している。
【００１９】
カバー前板部７ａに固定された一方の第１固定目地部６１ａは、カバー前板部７ａの全長にわたって配置されている。カバー後板部７ｂに固定された他方の第１固定目地部６１ａは、カバー後板部７ｂの全長にわたって配置されている。一対の第１固定目地部６１ａは、水平方向に対向して互いに平行に配置されている。この例では、一対の第１固定目地部６１ａがかご室１の奥行方向について対向している。また、この例では、一対の第１固定目地部６１ａがかご室１の幅方向に沿ってそれぞれ配置されている。
【００２０】
一対の第２固定目地部６１ｂは、一対のカバー側板部７ｃの全長にわたってそれぞれ配置されている。また、一対の第２固定目地部６１ｂは、一対の第１固定目地部６１ａに沿った方向について対向して配置されている。従って、この例では、一対の第２固定目地部６１ｂがかご室１の幅方向について対向している。
【００２１】
一対の第１固定目地部６１ａの間には、図１に示すように、一対の第１固定目地部６１ａに沿った方向において互いに離れた２つの第１領域Ｘ１と、２つの第１領域Ｘ１の間に位置する第２領域Ｘ２とが存在している。この例では、一対の第１固定目地部６１ａに沿った方向における各第１領域Ｘ１及び第２領域Ｘ２のそれぞれの寸法が互いに同じである。
【００２２】
２つの第１領域Ｘ１のそれぞれには、照明板４が第１照明板４１として１つずつ配置されている。第２領域Ｘ２には、少なくとも１つの照明板４が第２照明板４２として配置されている。これにより、一対の第１固定目地部６１ａの間には、２つの第１照明板４１と、少なくとも１つの第２照明板４２とが複数の照明板４として一対の第１固定目地部６１ａに沿って並んでいる。この例では、第２領域Ｘ２に配置されている第２照明板４２の数が１つである。
【００２３】
各ハンガ８は、複数の照明板４のそれぞれの間の位置に合わせて配置されている。この例では、図１に示すように、第１領域Ｘ１と第２領域Ｘ２との間の位置に合わせて各ハンガ８が配置されている。各ハンガ８に連結された各脱着目地枠６３は、複数の照明板４のそれぞれの間に配置されている。各脱着目地枠６３は、脱着目地枠６３の両側に配置された２つの照明板４を保持している。この例では、第１領域Ｘ１と第２領域Ｘ２との間に各脱着目地枠６３が配置されている。
【００２４】
２つの第１照明板４１のうち、一方の第１照明板４１は、第２領域Ｘ２と一方の第１領域Ｘ１との間に配置された脱着目地枠６３と、一対の第１固定目地部６１ａと、一方の第２固定目地部６１ｂとによって保持されている。他方の第１照明板４１は、第２領域Ｘ２と他方の第１領域Ｘ１との間に配置された脱着目地枠６３と、一対の第１固定目地部６１ａと、他方の第２固定目地部６１ｂとによって保持されている。第２照明板４２は、第２照明板４２の両側に配置された２つの脱着目地枠６３と、一対の第１固定目地部６１ａとによって保持されている。
【００２５】
図４は、図２のＩＩ−ＩＩ線に沿った断面図である。また、図５は、図２のＩＩＩ−ＩＩＩ線に沿った断面図である。さらに、図６は、図２のＩＶ−ＩＶ線に沿った断面図である。
第１固定目地部６１ａ及び第２固定目地部６１ｂのそれぞれは、カバー７に固定された縦板部６１１と、縦板部６１１の下端部から水平に突出する横板部６１２とを有している。従って、各第１固定目地部６１ａ及び各第２固定目地部６１ｂのそれぞれの断面形状は、縦板部６１１及び横板部６１２によってＬ字状になっている。縦板部６１１は、例えば接着剤、ボルト、リベットによってカバー７に固定されている。なお、固定目地枠６１は、カバー７の下部を折り返し加工されることで、カバー７と一体に形成されていてもよい。第１固定目地部６１ａ及び第２固定目地部６１ｂのそれぞれは、照明板４の端部を横板部６１２に載せた状態で照明板４を保持する。
【００２６】
一対の第１固定目地部６１ａのそれぞれには、各第１領域Ｘ１のそれぞれの位置に対応して設けられた第１押さえ部材６１ｃが固定されている。従って、１つの第１固定目地部６１ａには、各第１領域Ｘ１にそれぞれ対応する２つの第１押さえ部材６１ｃが固定されている。各第１押さえ部材６１ｃは、第１領域Ｘ１の全範囲にわたって配置されている。
【００２７】
各第２固定目地部６１ｂには、図６に示すように、第２押さえ部材６１ｄがそれぞれ固定されている。この例では、第２押さえ部材６１ｄが第２固定目地部６１ｂの全長にわたって配置されている。
【００２８】
第１押さえ部材６１ｃ及び第２押さえ部材６１ｄのそれぞれは、垂直板６１４と、垂直板６１４の下端部から水平に突出する水平板６１３とを有している。従って、第１押さえ部材６１ｃ及び第２押さえ部材６１ｄのそれぞれの断面形状は、垂直板６１４及び水平板６１３によってＬ字状になっている。第１押さえ部材６１ｃの垂直板６１４は、溶接、接着剤、一組のボルト及びナット、リベット等の固定手段によって第１固定目地部６１ａの縦板部６１１に固定されている。第２押さえ部材６１ｄの垂直板６１４は、溶接、接着剤、一組のボルト及びナット、リベット等の固定手段によって第２固定目地部６１ｂの縦板部６１１に固定されている。
【００２９】
なお、溶接、一組のボルト及びナット、リベット等の固定手段によって第１固定目地部６１ａ及び第１押さえ部材６１ｃを同時にカバー７に固定することもできる。
【００３０】
第１押さえ部材６１ｃは、第１固定目地部６１ａの横板部６１２の上方に配置されている。第１押さえ部材６１ｃの水平板６１３の下面は、第１固定目地部６１ａの横板部６１２の上面と対向している。各第１固定目地部６１ａには、第１押さえ部材６１ｃの水平板６１３及び第１固定目地部６１ａの横板部６１２によって形成された第１溝６２１が設けられている。各第１溝６２１は、第１固定目地部６１ａに沿って形成されている。また、各第１溝６２１は、第１領域Ｘ１に向けて開放されている。すなわち、一対の第１固定目地部６１ａのそれぞれには、第１領域Ｘ１を介して対向する一対の第１溝６２１が２つの第１領域Ｘ１のそれぞれの位置に対応して設けられている。
【００３１】
第２押さえ部材６１ｄは、第２固定目地部６１ｂの横板部６１２の上方に配置されている。第２押さえ部材６１ｄの水平板６１３の下面は、第２固定目地部６１ｂの横板部６１２の上面と対向している。各第２固定目地部６１ｂには、第２押さえ部材６１ｄの水平板６１３及び第２固定目地部６１ｂの横板部６１２によって形成された第２溝６２２がそれぞれ設けられている。各第２溝６２２は、第２固定目地部６１ｂに沿って形成されている。また、各第２溝６２２は、第１領域Ｘ１に向けて開放されている。
【００３２】
図７は、図１のＩ−Ｉ線に沿った断面図である。また、図８は、図７のＢ部を示す拡大図である。さらに、図９は、図７のＣ部を示す拡大図である。一対の第１固定目地部６１ａのそれぞれにおける、第２領域Ｘ２を介して対向する位置には、第１押さえ部材６１ｃは設けられていない。すなわち、一対の第１固定目地部６１ａのそれぞれにおける、第２領域Ｘ２を介して対向する位置には、第１溝６２１が設けられていない。
【００３３】
図１０は、図１のＡ部を示す拡大図である。また、図１１は、図１０の連結部６５を示した斜視図である。各脱着目地枠６３は、図１０に示すように、目地本体６４と、目地本体６４に設けられた複数の連結部６５とを有している。この例では、１つの目地本体６４に３つの連結部６５が設けられている。脱着目地枠６３は、複数の連結部６５によってハンガ８の目地枠取付部８ｂに連結されている。脱着目地枠６３が目地枠取付部８ｂに連結されている状態では、脱着目地枠６３が目地枠取付部８ｂに沿って水平に配置されている。
【００３４】
目地本体６４は、断面矩形状の棒状部６４１と、棒状部６４１に設けられた一対の枠保持部６４２とを有している。棒状部６４１には、取付溝が棒状部６４１の長手方向に沿って設けられている。取付溝の開口部分の幅は、取付溝内の空間の幅よりも狭くなっている。目地本体６４が取付溝の開口部分を上方に向けて配置された状態では、一対の枠保持部６４２が棒状部６４１の下部から目地本体６４の幅方向両側へ突出している。また、一対の枠保持部６４２は、棒状部６４１の全長にわたって設けられている。脱着目地枠６３は、照明板４の端部を枠保持部６４２に載せた状態で照明板４を保持する。
【００３５】
連結部６５は、棒状部６４１に固定される基盤部材６５ａと、基盤部材６５ａに設けられた結合部材６５ｂとを有している。連結部６５は、金属又は合成樹脂で形成されている。基盤部材６５ａは、締結具によって棒状部６４１に固定されている。基盤部材６５ａには固定用穴が設けられている。締結具は、基盤部材６５ａの固定用穴に通されたボルトと、棒状部６４１の取付溝内に配置されたナットとを有している。締結具のボルトのねじ部は、取付溝の開口部分から取付溝内に挿入されている。締結具のナットは、締結具のボルトのねじ部に取り付けられている。基盤部材６５ａは、締結具のボルトが締結具のナットに締め付けられることによって棒状部６４１に締結されている。
【００３６】
結合部材６５ｂは、一対の挟み部６５ｃを有している。一対の挟み部６５ｃは、目地本体６４の幅方向について対向している。一対の挟み部６５ｃのそれぞれの断面形状は、湾曲状である。一対の挟み部６５ｃの各々の先端部は接近しているが接してはいない。結合部材６５ｂは、一対の挟み部６５ｃによって断面Ｃ字状に形成された筒状部になっている。一対の挟み部６５ｃは弾性変形可能である。
【００３７】
挟み部６５ｃが目地枠取付部８ｂに押しつけられると、一対の挟み部６５ｃの先端部間が弾性変形によって開き、目地枠取付部８ｂが一対の挟み部６５ｃ間に入り込む。そして、一対の挟み部６５ｃが目地枠取付部８ｂを挟み込み保持する。各脱着目地枠６３では、照明板４を保持する脱着目地枠６３が目地枠取付部８ｂから外れないようにするために、１つの目地本体６４に設けられる連結部６５の数が照明板４及び脱着目地枠６３のそれぞれの重さに基づいて決められている。
【００３８】
次に、目地枠体６に第１照明板４１及び第２照明板４２を取り付けるときの手順について説明する。
【００３９】
まず、一方及び他方の第１領域Ｘ１のそれぞれに第１照明板４１を配置する。
【００４０】
第１領域Ｘ１に第１照明板４１を配置するときには、まず、第１照明板４１の両端部を、第２領域Ｘ２側から一対の第１溝６２１に挿入する。その後、第１照明板４１を、第２溝６２２に挿入されるまで第１領域Ｘ１へと第１溝６２１に沿ってスライドさせる。第１照明板４１が第２溝６２２に挿入されると、一対の第１固定目地部６１ａだけでなく第２固定目地部６１ｂによっても第１照明板４１が保持される。第１照明板４１が第１領域Ｘ１に配置された状態では、かご室１の奥行き方向における第１照明板４１の両端部が一対の第１溝６２１に挿入され、かつかご室１の幅方向における第１照明板４１の一端部が第２溝６２２に挿入されている。
一方の第１照明板４１を一方の第１領域Ｘ１に上記のように配置した後、他方の第１照明板４１を他方の第１領域Ｘ１に配置する。一方及び他方のそれぞれの第１照明板４１は、溝に挿入する向きが異なるだけで、第１領域Ｘ１への配置方法は同じである。このようにして、一方及び他方の第１領域Ｘ１のそれぞれに第１照明板４１をそれぞれ配置する。
【００４１】
この後、脱着目地枠６３がハンガ８に連結されていない状態で、第２照明板４２を第２領域Ｘ２に配置する。
【００４２】
第２照明板４２を第２領域Ｘ２に配置するときには、まず第２照明板４２を傾けながら、一対の第１固定目地部６１ａ間に存在する第２領域Ｘ２の空間に第２照明板４２を通す。そして、かご室１の奥行き方向における第２照明板４２の両端部を一対の第１固定目地部６１ａに載せる。これにより、第２照明板４２が第２領域Ｘ２に配置される。
【００４３】
この後、各ハンガ８の目地枠取付部８ｂに脱着目地枠６３をそれぞれ連結する。
図１２は、図１の脱着目地枠６３が目地枠取付部８ｂに連結されるときの状態を示した断面図である。また、図１３は、図１の脱着目地枠６３が目地枠取付部８ｂに連結されるときの状態を示した斜視図である。
脱着目地枠６３を目地枠取付部８ｂに連結するときには、ハンガ８の下から、目地枠取付部８ｂに向けて脱着目地枠６３を真上に押し上げる。これにより、連結部６５が目地枠取付部８ｂに連結される。連結部６５が目地枠取付部８ｂに連結されると、脱着目地枠６３の両側に位置する第１照明板４１及び第２照明板４２のそれぞれの端部が目地本体６４の枠保持部６４２で保持される。このようにして、目地枠体６に第１照明板４１及び第２照明板４２を取り付ける。
【００４４】
目地枠体６から第１照明板４１及び第２照明板４２を取り外すときは、目地枠体６に第１照明板４１及び第２照明板４２を取り付けるときの手順とは逆の手順で行う。
すなわち、第２照明板４２の両側に配置されたそれぞれの脱着目地枠６３をつかんで真下に引き、脱着目地枠６３の連結部６５をハンガ８の目地枠取付部８ｂから外す。第２照明板４２の両側に配置された脱着目地枠６３を外してから、第２照明板４２を持ち上げる。そして、一対の第１固定目地部６１ａの間の空間を通して第２照明板４２を下す。この後、一方の第１照明板４１を一方の第１領域Ｘ１から第２領域Ｘ２へスライドさせ、第２領域Ｘ２の空間を通して一方の第１照明板４１を下す。この後、他方の第１照明板４１を他方の第１領域Ｘ１から第２領域Ｘ２へスライドさせ、第２領域Ｘ２の空間を通して他方の第１照明板４１を下す。このようにして、目地枠体６から第１照明板４１及び第２照明板４２を取り外す。
【００４５】
このようなエレベータかご室天井照明装置では、天井固定部材５に着脱可能な連結部６５を有する脱着目地枠６３と、天井固定部材５に設けられた固定目地枠６１とによって各照明板４が保持されている。このため、脱着目地枠６３を取り外すことで、目地枠体６の開口面積を大きくすることができる。それにより、目地枠体６に対する照明板４の脱着作業を容易にすることができる。
【００４６】
また、一対の第１固定目地部６１ａの間には、２つの第１領域Ｘ１と、２つの第１領域Ｘ１の間に位置する第２領域Ｘ２とが存在している。第１領域Ｘ２には第１照明板４１が配置され、第２領域Ｘ２には第２照明板４２が配置されている。各第１照明板４１と第２照明板４２との間には、脱着目地枠６３がそれぞれ配置されている。このため、第２照明板４２の両側で脱着目地枠６３を脱着することができ、目地枠体６に対する第２照明板４２の脱着作業をさらに容易にすることができる。また、目地枠体６に対する複数の第１照明板４１の脱着を、共通の第１領域Ｘ１の空間を通して行うことができ、目地枠体６に対する第１照明板４１の脱着作業も容易にすることができる。
【００４７】
また、固定目地枠６１は、カバー７に設けられている。それにより、固定目地枠６１に照明板４をスライドさせて取り付けるられることで容易にかつより確実に保持することができる。
【００４８】
また、一対の第１固定目地部６１ａには、第１領域Ｘ１を介して対向する一対の第１溝６２１が設けられている。一対の第１溝６２１には、第１照明板４１の一部が挿入されている。それにより、一対の第１固定目地部６１ａに第１照明板４１をさらに確実に保持することができる。また、第１領域Ｘ１と第２領域Ｘ２との間で第１照明板４１を一対の第１溝６２１に沿ってスライドさせやすくすることができる。それにより、目地枠体６に対する第１照明板４１の着脱作業をさらに容易にすることができる。
【００４９】
また、脱着目地枠６３の連結部６５は、天井固定部材５の目地枠取付部８ｂに連結されている。従って、目地枠取付部８ｂの位置を照明器具３の位置よりも低い位置にすることによって天井固定部材５に連結部６５を着脱しやすくすることができる。
【００５０】
また、脱着目地枠６３は、一対の挟み部６５ｃの弾性復元力によって一対の挟み部６５ｃの間に目地枠取付部８ｂが挟み込まれた状態で目地枠取付部８ｂに連結されている。従って、一対の挟み部６５ｃを目地枠取付部８ｂに押し付けるだけで脱着目地枠６３を目地枠取付部８ｂに連結することができる。また、目地枠取付部８ｂから引き離す方向へ脱着目地枠６３に力を加えるだけで脱着目地枠６３を目地枠取付部８ｂから外すことができる。これにより、目地枠取付部８ｂに対する脱着目地枠６３の脱着作業を容易にすることができる。
【００５１】
また、天井固定部材５は、カバー７と、カバー７の内側に配置されたハンガ８とを有している。ハンガ８は、脱着目地枠６３の連結部６５が連結される目地枠取付部８ｂを有している。従って、複数の照明板４のそれぞれの間の位置に対応させてハンガ８の位置を決めることにより、複数の照明板４のそれぞれの間の位置に脱着目地枠６３を配置することができる。
【００５２】
実施の形態２.
実施の形態１では、脱着目地枠６３が第２照明板４２に対して別体になっている。しかし、脱着目地枠６３が第２照明板４２と一体になっていてもよい。
【００５３】
図１４は、この発明の実施の形態２によるエレベータのかご室天井照明装置の脱着目地枠６３が第２照明板４２と一体になっている状態を示す斜視図である。
第２照明板４２には、第２照明板４２の外周縁部に沿って配置された矩形状の照明板枠４３固定されている。照明板枠４３は、一対のレール部材４３ａを有している。一対のレール部材４３ａは、かご室１の幅方向における第２照明板４２の両端部に配置されている。また、一対のレール部材４３ａは、かご室１の奥行き方向に沿って配置されている。
【００５４】
図１５は、図１４のＤ部を示す拡大図である。また、図１６は、図１４のＶ−Ｖ線に沿った断面図である。脱着目地枠６３は、目地本体６４及び複数の連結部６５に加え、目地本体６４に設けられた複数の照明板支持部６８を有している。
【００５５】
各照明板支持部６８は、目地本体６４の長手方向において各連結部６５と同じ位置に配置されている。照明板支持部６８は、第２照明板４２及びレール部材４３ａを介して枠保持部６４２と対向している。照明板支持部６８は、一端部に固定穴が設けられ、他端部はＬ字形状に形成されている。照明板支持部６８の一端部は、連結部６５と一緒に目地本体６４に締結具で固定されている。照明板支持部６８の他端部は、レール部材４３ａに掛かっている。これにより、脱着目地枠６３は、第２照明板４２から外れないようになっている。即ち、第２照明板４２は、脱着目地枠６３と一体になっている。また、第２照明板４２は、照明板支持部６８がレール部材４３ａに案内されることによって脱着目地枠６３に対してスライドする。他の構成は実施の形態１と同様である。
【００５６】
次に、目地枠体６に第２照明板４２を取り付けるときの手順を説明する。
脱着目地枠６３と一体である第２照明板４２を目地枠体６に取り付けるときには、まずかご室１の奥行き方向における第２照明板４２の両端部の一方を、対応する第１固定目地部６１ａに載せる。この後、第２照明板４２の両端部の他方を、対応する第１固定目地部６１ａに載せながら、脱着目地枠６３の各連結部６５を目地枠取付部８ｂに連結させる。このようにして、目地枠体６に第２照明板４２を取り付ける。
【００５７】
このようなエレベータのかご室天井照明装置では、第２照明板４２が脱着目地枠６３と一体になっている。そのため、固定目地枠６１に対して第２照明板４２を脱着する作業と、天井固定部材５に対して脱着目地枠６３を脱着する作業とを同時に行うことができる。それにより、目地枠体６に対する照明板４の脱着作業をさらに容易にすることができる。
【００５８】
また、第２照明板４２は、脱着目地枠６３に対してスライド可能である。そのため、第２照明板４２を目地枠体６に取り付けた後でも、脱着目地枠６３に対して第２照明板４２を動かして、目地枠体６に対する第２照明板４２の位置を調整することができる。それにより、目地枠体６に対する第２照明板４２の脱着作業をさらに容易にすることができる。。
【００５９】
また、脱着目地枠６３は、第２照明板４２に設けられたレール部材４３ａに掛かっている照明板支持部６８を有している。第２照明板４２は、照明板支持部６８がレール部材４３ａに案内されることによって脱着目地枠６３に対してスライドする。そのため、脱着目地枠６３に対して第２照明板４２を簡単な構成でスライド可能にすることができる。
【００６０】
なお、照明板支持部６８と目地本体６４の枠保持部６４２とを、凹凸がなくかつ円滑な表面の材質で形成されていてもよい。例えば、照明板支持部６８と枠保持部６４２とのそれぞれの材質を、金属又は合成樹脂としてもよい。その場合は、第２照明板４２とレール部材４３ａとが、目地本体６４と照明板支持部６８とにより隙間無く保持されても、第２照明板４２が脱着目地枠６３に対してスライド可能である。目地本体６４の枠保持部６４２と照明板支持部６８との表面のみが、凹凸がなくかつ円滑な表面の材質で形成されていてもよい。
【００６１】
実施の形態３.
実施の形態３は、実施の形態１に対し、カバー７に接続部材が設けられている点が異なっている。
【００６２】
図１７は、この発明の実施の形態３によるエレベータのかご室天井照明装置のカバー７に設けられた接続部材９を示す断面図である。かご室天井照明装置は、カバー７と固定目地枠６１との間に介在する接続部材９をさらに備えている。
【００６３】
カバー７には、カバー７の下端部からカバー７の内側へ突出する板状の突出部７１が設けられている。突出部７１は、カバー前板部７ａ、カバー後板部７ｂ及び一対のカバー側板部７ｃのそれぞれに設けられている。また、突出部７１は、カバー前板部７ａ、カバー後板部７ｂ及び一対のカバー側板部７ｃのそれぞれに沿って水平に配置されている。突出部７１は、板を折り曲げ加工することによってカバー７と一体に形成されている。
【００６４】
接続部材９は、突出部７１に取り付けられることによってカバー７の下端部に設けられている。接続部材９は、本体部９１と、本体部９１に固定された留め部９２とを有している。
【００６５】
本体部９１は、板状の第１挟み部９１ａと、板状の目地枠固定部９１ｂと、第１挟み部９１ａ及び目地枠固定部９１ｂを互いに繋ぐ繋ぎ部９１ｃとを有している。本体部９１は、板を折り曲げ加工することによって形成されている。本体部９１の断面形状は、第１挟み部９１ａ、目地枠固定部９１ｂ及び繋ぎ部９１ｃによってＳ字状になっている。接続部材９が突出部７１に取り付けられている状態では、第１挟み部９１ａ及び目地枠固定部９１ｂがそれぞれ水平に配置され、かつ目地枠固定部９１ｂが第１挟み部９１ａの下方に配置されている。
【００６６】
目地枠固定部９１ｂには、複数の固定用穴が設けられている。固定目地枠６１は、締結具によって目地枠固定部９１ｂに固定されている。締結具は、目地枠固定部９１ｂの固定用穴に通されたボルトと、ボルトに取り付けられたナットとを有している。
【００６７】
留め部９２は、繋ぎ部９１ｃに重なって固定された板状の重ね部９２ａと、重ね部９２ａから突出し、第１挟み部９１ａに対向する板状の第２挟み部９２ｂとを有している。留め部９２は、板を折り曲げ加工することによって形成されている。留め部９２の断面形状は、重ね部９２ａ及び第２挟み部９２ｂによってＬ字状になっている。
【００６８】
接続部材９は、第１挟み部９１ａと第２挟み部９２ｂとの間に突出部７１が挟み込まれた状態でカバー７に設けられている。第２挟み部９２ｂは、弾性変形可能になっている。突出部７１は、第２挟み部９２ｂの弾性復元力によって第１挟み部９１ａと第２挟み部９２ｂとの間に保持されている。即ち、第１挟み部９１ａ及び第２挟み部９２ｂは、突出部７１を挟むクリップとしての機能を有している。
【００６９】
接続部材９は、カバー前板部７ａ、カバー後板部７ｂ及び一対のカバー側板部７ｃのそれぞれの突出部７１に取り付けられている。カバー前板部７ａ及びカバー後板部７ｂのそれぞれの突出部７１に取り付けられた接続部材９には、固定目地枠６１の第１固定目地部６１ａがそれぞれ固定されている。一対のカバー側板部７ｃのそれぞれの突出部７１に取り付けられた接続部材９には、固定目地枠６１の第２固定目地部６１ｂがそれぞれ固定されている。第１固定目地部６１ａ及び第２固定目地部６１ｂのそれぞれの形状は、実施の形態１での脱着目地枠６３の目地本体６４の形状と同じである。従って、第１固定目地部６１ａ及び第２固定目地部６１ｂのそれぞれは、一対の枠保持部６４２を有している。第１固定目地部６１ａ及び第２固定目地部６１ｂのそれぞれは、枠保持部６４２に照明板４の端部を載せた状態で照明板４を保持する。他の構成は実施の形態１と同様である。
【００７０】
固定目地枠６１をカバー７に取り付けるときには、接続部材９の目地枠固定部９１ｂに固定目地枠６１を予め固定しておく。この後、カバー７の内側から接続部材９を突出部７１に押し込みながら、第１挟み部９１ａと第２挟み部９２ｂとの間に突出部７１を挿入する。これにより、固定目地枠６１が接続部材９を介してカバー７に取り付けられる。
【００７１】
このようなエレベータのかご室天井照明装置では、カバー７の突出部７１が第１挟み部９１ａと第２挟み部９２ｂとの間に挟み込まれた状態で接続部材９がカバー７に設けられている。それにより、第１挟み部９１ａと第２挟み部９２ｂとの間に突出部７１を挿入するだけで接続部材９をカバー７に取り付けることができ、カバー７に対する固定目地枠６１の取付作業を容易にすることができる。
【００７２】
なお、接続部材９の目地枠固定部９１ｂからカバー７の内側に延長した延長部を形成し、延長部と固定目地枠６１の枠保持部６４２とにより、第１溝６２１又は第２溝６２２を形成することもできる。照明板４を第１溝６２１又は第２溝６２２に挿入して固定目地枠６１に保持することで、照明板４をさらに確実に保持することができる。
【００７３】
実施の形態４.
実施の形態４は、実施の形態１に対し、脱着目地枠６３の連結部６５の構成が異なっている。
【００７４】
図１８は、この発明の実施の形態４によるエレベータのかご室天井照明装置の脱着目地枠６３を示す断面図である。図１８では、脱着目地枠６３の目地本体６４を破線で示している。連結部６５は、目地本体６４に固定される基盤部材６５ａと、目地枠取付部８ｂに連結する一対の結合部材６５ｂと、一対の結合部材６５ｂに付勢力を加える付勢部材６５ｅとを有している。
【００７５】
一対の結合部材６５ｂは、一対の挟み部６５ｃと一対の挟み部６５ｃのそれぞれに設けられた一対の操作部６５ｄとを含む。一対の結合部材６５ｂは、脱着目地枠６３の幅方向において一対の挟み部６５ｃを互いに対向させた状態で基盤部材６５ａに保持されている。一対の結合部材６５ｂのそれぞれは、基盤部材６５ａを貫通している。一対の挟み部６５ｃは、基盤部材６５ａに対して一対の操作部６５ｄとは反対側に位置している。一対の操作部６５ｄは、基盤部材６５ａから目地本体６４側へ突出している。
【００７６】
一対の挟み部６５ｃは、基盤部材６５ａから突出して各々が対向するように形成された一対の突状片として形成されている。一対の挟み部６５ｃは、各々が環状の一部をなしている。一対の挟み部６５ｃの各々の先端部は接近しているが接してはいない。一対の操作部６５ｄは、基盤部材６５ａから目地本体６４側へ突出している。
【００７７】
一対の結合部材６５ｂのうち、一方の結合部材６５ｂは、基盤部材６５ａに固定されている。他方の結合部材６５ｂは、基盤部材６５ａに対して変位可能になっている。また、一対の結合部材６５ｂは、回転軸部で互いに回転自在に連結されている。
連結部６５では、一対の挟み部６５ｃが互いに近づく方向へ一対の結合部材６５ｂ同士が回転すると、一対の操作部６５ｄが互いに離れる方向へ変位される。また、連結部６５では、一対の挟み部６５ｃが互いに離れる方向へ一対の結合部材６５ｂ同士が回転すると、一対の操作部６５ｄが互いに近づく方向へ変位される。これにより、一対の操作部６５ｄは、一対の挟み部６５ｃを互いに離れる方向に回動させるように操作力を加えることができる。
【００７８】
付勢部材６５ｅは、板ばね、コイルばね、ゴム等の弾性体である。付勢部材６５ｅは、一対の操作部６５ｄの間に設けられている。一対の結合部材６５ｂは、付勢部材６５ｅによる付勢力により、一対の挟み部６５ｃが互いに近づく方向に付勢されている。
一対の結合部材６５ｂは、目地本体６４に設けられている穴を貫通して配置されている。そのため、脱着目地枠６３が目地枠取付部８ｂに取り付けられている状態で、一対の操作部６５ｄを操作できるようになっている。
【００７９】
次に、連結部６５を目地枠取付部８ｂに取り付ける方法を説明する。
まず、かご室１の奥行き方向における第２照明板４２の両端部を第１固定目地部６１ａに載せる。そして、一対の挟み部６５ｃを目地枠取付部８ｂに近づけて、付勢部材６５ｅの付勢力に逆らって一対の操作部６５ｄに操作力を加え、一対の挟み部６５ｃを開く。一対の挟み部６５ｃを開いたまま、一対の挟み部６５ｃの間に目地枠取付部８ｂを挿入する。この後、一対の操作部６５ｄに操作力を加えることをやめる。これにより、目地枠取付部８ｂが付勢部材６５ｅの付勢力によって一対の挟み部６５ｃの間に挟み込まれる。
このように、一対の挟み部６５ｃを操作部６５ｄで開くことができるため、連結部６５を目地枠取付部８ｂに容易に脱着することができる。
【００８０】
このようなエレベータのかご室天井照明装置では、一対の結合部材６５ｂが一対の挟み部６５ｃと一対の操作部６５ｄとを有している。そのため、一対の操作部６５ｄを操作して一対の挟み部６５ｃを開閉することで、脱着目地枠６３をハンガ８に容易に脱着することができる。
【００８１】
なお、実施の形態４の連結部６５は、実施の形態１の脱着目地枠６３の連結部６５に適用できることはもちろん、実施の形態２の脱着目地枠６３の連結部６５にも適用できる。
【００８２】
また、上記の例では、一対の結合部材６５ｂのうち、一方の結合部材６５ｂが基盤部材６５ａに固定されている。しかし、一対の結合部材６５ｂのそれぞれが基盤部材６５ａに対して変位可能であってもよい。この場合、基盤部材６５ａに回転軸部が設けられ、一対の結合部材６５ｂのそれぞれが回転軸部を中心に回転自在に設けられる。このようにしても、一対の操作部６５ｄに操作力を加えて一対の挟み部６５ｃを操作することができ、連結部６５を目地枠取付部８ｂに容易に着脱することができる。
【００８３】
各上記実施の形態において、以下のような変更が可能である。
一方及び他方の第１領域Ｘ１に配置される第１照明板４１は、それぞれ複数とすることができる。
第１領域Ｘ１の第１照明板４１をスライドさせて脱着を行うという基本的な方法は、第１照明板４１の数にかかわらず同じである。
まず１つ目の第１照明板４１を第１溝６２１に挿入し、第２溝６２２に挿入されるまで１つ目の第１照明板４１をスライドさせる。その後、次の第１照明板４１を第１溝６２１に挿入し、１つ目の第１照明板４１に突きあたるまでスライドさせる。この方法を第１照明板４１の個数だけ繰り返して第１照明板４１を全数取り付ける。
【００８４】
また、何れかの第１照明板４１が複数の場合、隣接する第１照明板４１同士のそれぞれの間に、ハンガ８及び脱着目地枠６３を設けることができる。それにより、複数の第１照明板４１の４つの端部を、固定目地枠６１又は脱着目地枠６３の何れかで保持できる。そのため、第１照明板４１が複数の場合でも、全ての第１照明板４１の４つの端部を撓ませることなく保持できる。その際の脱着目地枠６３の脱着方法は、第２照明板４２の場合と同じである。
【００８５】
また、第２領域Ｘ２に配置する第２照明板４２の個数は、複数とすることができる。
かご室１の奥行き方向における第２照明板４２の両端部は第１固定目地部６１ａに保持され、かご室１の幅方向における第２照明板４２の両端部は脱着目地枠６３により保持される。
かご室１の奥行き方向における第２照明板４２の両端部を第１固定目地部６１ａに載せてから、かご室１の幅方向における第２照明板４２の両端部を脱着目地枠６３により保持するという脱着方法は、第２照明板４２が複数であっても同じである。
第２照明板４２が複数ある場合は、第２照明板４２同士の間に、ハンガ８及び脱着目地枠６３が設けられる。例えば、第２照明板４２が２つある場合は、ハンガ８及び脱着目地枠６３がそれぞれ３つずつ設けられる。
【００８６】
脱着目地枠６３を取り外しやすいように、脱着目地枠６３を指で保持しやすいつかみ部を目地本体６４に設けることもできる。つかみ部は、例えば、指を入れられる大きさの作業穴である。
また、脱着目地枠６３の取り外しに工具を用いる場合は、取り外し用工具を差し込む作業穴を、目地本体６４に設けることもできる。取り外し用工具の先端は、Ｌ字形状のように、曲がっていると脱着目地枠６３を取り外しやすい。
作業穴には、見栄え向上のために、めくら蓋をつけるとよい。
目地本体６４に、指を入れる作業穴とその作業穴用のめくら蓋とを設ける場合、工具を使わずとも脱着目地枠６３の取り外しができる。
【００８７】
また、第１溝６２１について、カバー前板部７ａ及びカバー後板部７ｂ、第２溝６２２について、カバー側板部７ｃのそれぞれに形成されている実施の形態を説明したが、第１溝６２１及び第２溝６２２は、いずれか２ケ所のみとすることもできる。
第１溝６２１又は第２溝６２２が形成されていない部位では、何らかの要因で、第１照明板４１が、第１固定目地部６１ａから上方にはねあがる可能性もある。その際に、第１照明板４１が第１溝６２１又は第２溝６２２から外れて落下することを防ぐため、図８に示すように、カバー７に移動規制部材を設けることができる。移動防止部材は、金属又は合成樹脂で形成されている。
【００８８】
移動規制部材は、カバー７の内側において、第１固定目地部６１ａより上において、第１溝６２１が取り付けられる位置より高い位置に設けられる。そのため、移動規制部材があっても、第１照明板４１の取り付けには支障ない。
第１照明板４１が上方に動いた時に、第１照明板４１が移動規制部材にあたる。そのため、第１照明板４１がそれ以上動くことが規制され、落下することが防止される。
【００８９】
なお、この発明は、その発明の範囲内において、実施の形態を自由に組み合わせたり、実施の形態を適宜、変形、省略することが可能である。
【符号の説明】
【００９０】
１  かご室、２  天井、３  照明器具、４  照明板、５  天井固定部材、６  目地枠体、７  カバー、８  ハンガ、８ｂ  目地枠取付部、９  接続部材、９ａ  第１挟み部、９ｂ  第２挟み部、４１  第１照明板、４２  第２照明板、４３ａ  レール部材、６１  固定目地枠、６１ａ  第１固定目地部、６３  脱着目地枠、６４  目地本体、６５  連結部、６５ｂ  結合部材、６５ｃ  挟み部、６５ｄ  操作部、６５ｅ  付勢部材、６８  照明板支持部、７１  突出部、６２１  第１溝、Ｘ１  第１領域、Ｘ２  第２領域。
【図１】
2019198145.tif 000003
【図２】
2019198145.tif 000004
【図３】
2019198145.tif 000005
【図４】
2019198145.tif 000006
【図５】
2019198145.tif 000007
【図６】
2019198145.tif 000008
【図７】
2019198145.tif 000009
【図８】
2019198145.tif 000010
【図９】
2019198145.tif 000011
【図１０】
2019198145.tif 000012
【図１１】
2019198145.tif 000013
【図１２】
2019198145.tif 000014
【図１３】
2019198145.tif 000015
【図１４】
2019198145.tif 000016
【図１５】
2019198145.tif 000017
【図１６】
2019198145.tif 000018
【図１７】
2019198145.tif 000019
【図１８】
2019198145.tif 000020
【手続補正書】
【提出日】令和2年3月30日(2020.3.30)
【手続補正１】
【補正対象書類名】特許請求の範囲
【補正対象項目名】全文
【補正方法】変更
【補正の内容】
【特許請求の範囲】
【請求項１】
かご室の天井に設けられた照明器具、
前記天井に設けられた天井固定部材、
前記天井固定部材に設けられた目地枠体、及び
前記目地枠体に保持され、前記照明器具の照明光を前記かご室内に透過させる照明板を備え、
前記目地枠体は、前記天井固定部材に脱着可能な連結部を含む脱着目地枠と、前記天井固定部材に設けられた固定目地枠とを有し、
前記照明板は、前記脱着目地枠及び前記固定目地枠によって保持されており、
前記天井固定部材は、目地枠取付部を有し、
前記連結部は、前記目地枠取付部に連結されているエレベータのかご室天井照明装置。
【請求項２】
前記固定目地枠は、水平方向に対向して互いに平行に配置された一対の第１固定目地部を有し、
前記一対の第１固定目地部の間には、前記一対の第１固定目地部に沿った方向において互いに離れた２つの第１領域と、前記２つの第１領域の間に位置する第２領域とが存在しており、
前記２つの第１領域のそれぞれには、第１照明板が配置され、
前記第２領域には、少なくとも１つの第２照明板が配置され、
各前記第１照明板及び前記第２照明板は、複数の前記照明板として前記一対の第１固定目地部に沿って並んでおり、
前記複数の照明板のそれぞれの間には、前記脱着目地枠がそれぞれ配置され、
一方の前記第１照明板は、一方の前記第１領域と前記第２領域との間に配置された前記脱着目地枠と、前記一対の第１固定目地部とによって支持され、
他方の前記第１照明板は、他方の前記第１領域と前記第２領域との間に配置された前記脱着目地枠と、前記一対の第１固定目地部とによって支持され、
前記第２照明板は、前記第２照明板の両側に配置された前記脱着目地枠と、前記一対の第１固定目地部とによって支持されている請求項１に記載のエレベータのかご室天井照明装置。
【請求項３】
前記一対の第１固定目地部のそれぞれには、前記第１領域を介して対向する一対の第１溝が前記２つの第１領域のそれぞれの位置に対応して設けられ、
前記第１照明板が前記第１領域に配置されている状態では、前記第１照明板の一部が前記一対の第１溝にそれぞれ挿入されており、
前記第１照明板は、前記第１領域と前記第２領域との間で前記一対の第１溝に沿ってスライド可能である請求項２に記載のエレベータのかご室天井照明装置。
【請求項４】
前記第２照明板は、前記脱着目地枠と一体である請求項２又は請求項３に記載のエレベータのかご室天井照明装置。
【請求項５】
前記第２照明板は、前記脱着目地枠に対してスライド可能である請求項４に記載のエレベータのかご室天井照明装置。
【請求項６】
前記第２照明板には、レール部材が設けられ、
前記脱着目地枠は、前記第２照明板を保持する目地本体と、前記目地本体に設けられた前記連結部と、前記目地本体に設けられ、前記レール部材に掛かっている照明板支持部とを有し、
前記第２照明板は、前記照明板支持部が前記レール部材に案内されることによって前記脱着目地枠に対してスライドする請求項５に記載のエレベータのかご室天井照明装置。
【請求項７】
前記連結部は、一対の挟み部を含み、
前記脱着目地枠は、前記一対の挟み部の間に前記目地枠取付部が挟み込まれた状態で前記目地枠取付部に取り付けられている請求項１から請求項６のいずれか一項に記載のエレベータのかご室天井照明装置。
【請求項８】
前記一対の挟み部は、弾性変形可能になっており、
前記目地枠取付部は、前記一対の挟み部の弾性復元力によって前記一対の挟み部の間に挟み込まれている請求項７に記載のエレベータのかご室天井照明装置。
【請求項９】
前記連結部は、前記一対の挟み部と前記一対の挟み部のそれぞれに設けられた一対の操作部とを含む一対の結合部材と、前記一対の挟み部が互いに近づく方向へ前記一対の結合部材に付勢力を加える付勢部材とを有し、
前記目地枠取付部は、前記付勢部材の付勢力によって前記一対の挟み部の間に挟み込まれている請求項７に記載のエレベータのかご室天井照明装置。
【請求項１０】
前記天井固定部材は、前記照明器具を囲むカバーと、前記カバーの内側で前記天井から下方に延びるハンガとを有し、
前記ハンガは、前記目地枠取付部を有し、
前記カバーには、前記固定目地枠が設けられ、
前記目地枠取付部には、前記連結部が脱着可能になっている請求項１から請求項９のいずれか一項に記載のエレベータのかご室天井照明装置。
【請求項１１】
接続部材を備え、
前記固定目地枠は、前記接続部材に固定され、
前記カバーの下端部には、前記カバーから前記カバーの内側へ突出する突出部が設けられ、
前記接続部材は、前記突出部を挟む第１挟み部及び第２挟み部を有し、
前記接続部材は、前記第１挟み部と前記第２挟み部との間に前記突出部が挟み込まれた状態で前記カバーに取り付けられている請求項１０に記載のエレベータのかご室天井照明装置。
【国際調査報告】
2019198145.tif 000021
2019198145.tif 000022
2019198145.tif 000023
2019198145.tif 000024